(57)【要約】【課題】色温度の異なる二つの光源の各々に所望の電流を供給でき、かつ、簡素化された構成を有する点灯装置を提供する。【解決手段】点灯装置１０は、第１の光源３１と、第１の光源３１に直列に接続される第１のスイッチング素子Ｑ１と、第１の光源３１より高色温度の照明光を出射する第２の光源３２と、第２の光源３２に直列に接続される第２のスイッチング素子Ｑ２とを有する照明部３０と、第１のスイッチング素子Ｑ１及び第２のスイッチング素子Ｑ２の少なくとも一方がオフ状態となるように照明部３０を制御する照明制御部２０と、第１の光源３１及び第２の光源３２に流れる電流値の総和を検出し、当該総和に基づいて第１のスイッチング素子Ｑ１及び第２のスイッチング素子Ｑ２を制御する定電流制御部５０とを備える。【選択図】図１
2018147605.tif 000002
【特許請求の範囲】
【請求項１】
第１の光源と、前記第１の光源に直列に接続される第１のスイッチング素子と、前記第１の光源より高色温度の照明光を出射する第２の光源と、前記第２の光源に直列に接続される第２のスイッチング素子とを有する照明部と、
前記第１のスイッチング素子及び前記第２のスイッチング素子にそれぞれ第１の駆動信号及び第２の駆動信号を出力することで、前記第１のスイッチング素子及び前記第２のスイッチング素子の少なくとも一方がオフ状態となるように前記照明部を制御する照明制御部と、
前記第１の光源及び前記第２の光源に流れる電流値の総和を検出し、前記総和に基づいて前記第１のスイッチング素子及び前記第２のスイッチング素子を制御することにより前記第１の光源及び前記第２の光源の点灯時に流れる電流値を一定とする定電流制御部とを備える
点灯装置。
【請求項２】
前記照明制御部は、前記第１のスイッチング素子及び前記第２のスイッチング素子に対してＰＷＭ（Ｐｕｌｓｅ  Ｗｉｄｔｈ  Ｍｏｄｕｌａｔｉｏｎ）制御を行う
請求項１に記載の点灯装置。
【請求項３】
前記ＰＷＭ制御の動作周波数が３００Ｈｚ以上である
請求項２に記載の点灯装置。
【請求項４】
前記照明部は、さらに、前記第１の光源に並列に接続される第１のコンデンサと、前記第２の光源に並列に接続される第２のコンデンサとを有する
請求項１〜３のいずれか１項に記載の点灯装置。
【請求項５】
前記照明制御部は、前記第１のスイッチング素子及び前記第２のスイッチング素子の一方をオン状態に切り換える直前に、前記第１のスイッチング素子及び前記第２のスイッチング素子をオフ状態とする
請求項１〜４のいずれか１項に記載の点灯装置。
【請求項６】
前記照明制御部は、前記総和に基づいて、前記第１の駆動信号及び前記第２の駆動信号を補正制御する
請求項１〜５のいずれか１項に記載の点灯装置。
【請求項７】
前記第１の駆動信号及び前記第２の駆動信号は、ＰＷＭ信号であり、
前記照明制御部は、前記総和に基づいて前記第１の駆動信号及び前記第２の駆動信号の少なくとも一方の時比率を変更する
請求項６に記載の点灯装置。
【請求項８】
前記照明制御部は、前記第１のスイッチング素子への前記ＰＷＭ信号の時比率と、前記第２のスイッチング素子への前記ＰＷＭ信号の時比率との比を一定に維持する
請求項７に記載の点灯装置。
【請求項９】
前記照明制御部は、前記総和が閾値を超えた場合に、前記第１の光源及び前記第２の光源に流れる電流を制限する
請求項１〜８のいずれか１項に記載の点灯装置。
【請求項１０】
前記照明制御部はマイコンを有し、
前記マイコンから出力される前記第１の駆動信号がＬｏｗレベルである場合に、前記第１のスイッチング素子がオン状態となり、
前記マイコンから出力される前記第２の駆動信号がＬｏｗレベルである場合に、前記第２のスイッチング素子がオン状態となる
請求項１〜９のいずれか１項に記載の点灯装置。
【請求項１１】
請求項１〜１０のいずれか１項に記載の点灯装置を備える
照明器具。
【請求項１２】
請求項１〜１０のいずれか１項に記載の点灯装置を備える
電子機器。
【発明の詳細な説明】
【技術分野】
【０００１】
本発明は、二つの相異なる色温度を有する光源を点灯させる点灯装置、照明器具及び電子機器に関する。
【背景技術】
【０００２】
従来、複数色の発光素子を点灯させる点灯装置が提案されている（例えば、特許文献１参照）。特許文献１に記載の点灯装置では、互いに発光色の異なる複数の発光ダイオードを備える。複数の発光ダイオードに流れる電流値は、各発光ダイオードに直列に接続された定電流回路によって制御される。これにより、各発光ダイオードに流れる電流値を所望の値に制御しようとしている。
【先行技術文献】
【特許文献】
【０００３】
【特許文献１】特開２０１２−１５０８８７号公報
【発明の概要】
【発明が解決しようとする課題】
【０００４】
しかしながら、特許文献１に記載の点灯装置では、複数の発光ダイオードがそれぞれ独立した定電流回路によって複数の発光ダイオードの各々に流れる電流値を制御している。このため、例えば、複数の発光ダイオードに同一の電流を供給する場合に、定電流回路の個体差などに起因して複数の発光ダイオードの各々に流れる電流にばらつきが発生し得る。なお、このようなばらつきを解消するために、各発光ダイオードの出射光強度を検出し、当該出射光強度に基づいて複数の発光素子に流れる電流を制御することが考えられるが、このような点灯装置においては構成が複雑化する。
【０００５】
そこで、本発明は、色温度の異なる二つの光源の各々に所望の電流を供給でき、かつ、簡素化された構成を有する点灯装置、並びに、それを備える照明器具及び電子機器を提供することを目的とする。
【課題を解決するための手段】
【０００６】
上記目的を達成するために、本発明に係る点灯装置の一態様は、第１の光源と、前記第１の光源に直列に接続される第１のスイッチング素子と、前記第１の光源より高色温度の照明光を出射する第２の光源と、前記第２の光源に直列に接続される第２のスイッチング素子とを有する照明部と、前記第１のスイッチング素子及び前記第２のスイッチング素子にそれぞれ第１の駆動信号及び第２の駆動信号を出力することで、前記第１のスイッチング素子及び前記第２のスイッチング素子の少なくとも一方がオフ状態となるように前記照明部を制御する照明制御部と、前記第１の光源及び前記第２の光源に流れる電流値の総和を検出し、前記総和に基づいて前記第１のスイッチング素子及び前記第２のスイッチング素子を制御することにより前記第１の光源及び前記第２の光源の点灯時に流れる電流値を一定とする定電流制御部とを備える。
【０００７】
また、上記目的を達成するために、本発明に係る照明器具の一態様は、上記点灯装置を備える。
【０００８】
また、上記目的を達成するために、本発明に係る電子機器の一態様は、上記点灯装置を備える。
【発明の効果】
【０００９】
本発明によれば、色温度の異なる二つの光源に所望の電流を供給でき、かつ、簡素化された構成を有する点灯装置、並びに、それを備える照明器具及び電子機器を提供することができる。
【図面の簡単な説明】
【００１０】
【図１】図１は、実施の形態１に係る点灯装置の基本構成を示す回路図である。
【図２】図２は、実施の形態１に係る点灯装置の具体的な構成の一例を示す回路図である。
【図３Ａ】図３Ａは、実施の形態１に係る照明制御部から出力される第１の駆動信号及び第２の駆動信号の第１の波形例を示すグラフである。
【図３Ｂ】図３Ｂは、実施の形態１に係る照明制御部から出力される第１の駆動信号及び第２の駆動信号の第２の波形例を示すグラフである。
【図３Ｃ】図３Ｃは、実施の形態１に係る照明制御部から出力される第１の駆動信号及び第２の駆動信号の第３の波形例を示すグラフである。
【図３Ｄ】図３Ｄは、実施の形態１に係る照明制御部から出力される第１の駆動信号及び第２の駆動信号の第４の波形例を示すグラフである。
【図３Ｅ】図３Ｅは、実施の形態１に係る照明制御部から出力される第１の駆動信号及び第２の駆動信号の第５の波形例を示すグラフである。
【図３Ｆ】図３Ｆは、実施の形態１に係る照明制御部から出力される第１の駆動信号及び第２の駆動信号の第６の波形例を示すグラフである。
【図４】図４は、実施の形態１に係る第１の駆動信号及び第２の駆動信号、第１のスイッチング素子及び第２のスイッチング素子に流れる電流、並びに、電流検出部に流れる電流の各波形の一例を示すグラフである。
【図５】図５は、実施の形態１に係る点灯装置において、照明光の色温度を変化させずに照明光の強度を変化させる場合の各駆動信号の波形例を示すグラフである。
【図６】図６は、実施の形態２に係る点灯装置の具体的な構成の一例を示す回路図である。
【図７】図７は、実施の形態３に係る点灯装置の具体的な構成の一例を示す回路図である。
【図８】図８は、実施の形態３に係る第１の駆動信号及び第２の駆動信号、第１のスイッチング素子及び第２のスイッチング素子に流れる電流、並びに、電流検出部に流れる電流の各波形の一例を示すグラフである。
【図９】図９は、実施の形態４に係る照明器具の外観図である。
【図１０】図１０は、実施の形態５に係る電子機器の外観図である。
【発明を実施するための形態】
【００１１】
以下、本発明の一態様に係る点灯装置及び照明器具について、図面を参照しながら具体的に説明する。
【００１２】
なお、以下で説明する実施の形態は、いずれも本発明の一具体例を示すものである。以下の実施の形態で示される数値、構成要素、構成要素の配置位置及び接続形態等は、一例であり、本発明を限定する主旨ではない。また、以下の実施の形態における構成要素のうち、最上位概念を示す独立請求項に記載されていない構成要素については、任意の構成要素として説明する。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
［１−１．基本構成］
まず、実施の形態１に係る点灯装置について、図面を用いて説明する。
【００１５】
図１は、本実施の形態に係る点灯装置１０の基本構成を示す回路図である。なお、図１には、点灯装置１０と併せて、点灯装置１０に電力を供給する直流電源２も示されている。
【００１６】
図１に示されるように、点灯装置１０は、直流電源２から供給された電力を用いて照明光を出射する装置であり、照明部３０と、照明制御部２０と、定電流制御部５０とを備える。以下、点灯装置１０の各構成要素、及び、直流電源２について説明する。
【００１７】
［１−１−１．照明部］
照明部３０は、照明光を出射する回路である。照明部３０は、第１の光源３１と、第１の光源３１に直列に接続される第１のスイッチング素子Ｑ１と、第１の光源３１に並列に接続される第１のコンデンサ４１とを有する。照明部３０は、さらに、第１の光源３１より高色温度である第２の光源３２と、第２の光源３２に直列に接続される第２のスイッチング素子Ｑ２と、第２の光源３２に並列に接続される第２のコンデンサ４２とを有する。
【００１８】
第１の光源３１は、第２の光源３２より低色温度の照明光を出射する光源である。本実施の形態では、第１の光源３１は、例えば、１５００Ｋ以上、３８００Ｋ未満の白色光を出射するＬＥＤ（Ｌｉｇｈｔ  Ｅｍｉｔｔｉｎｇ  Ｄｉｏｄｅ）を備える。
【００１９】
第２の光源３２は、第１の光源３１より高色温度の照明光を出射する光源である。本実施の形態では、第２の光源３２は、例えば、４０００Ｋ以上、７１００Ｋ以下の白色光を出射するＬＥＤを備える。
【００２０】
第１のスイッチング素子Ｑ１及び第２のスイッチング素子Ｑ２は、それぞれ、第１の光源３１及び第２の光源３２に直列に接続される素子である。各スイッチング素子は、照明制御部２０によって、所定の時比率（デューティ）で周期的にオンオフを切り換えるように制御される。つまり、第１のスイッチング素子Ｑ１及び第２のスイッチング素子Ｑ２は、照明制御部２０によってＰＷＭ（Ｐｕｌｓｅ  Ｗｉｄｔｈ  Ｍｏｄｕｌａｔｉｏｎ）制御される。また、両スイッチング素子のうち、一方が定常的にオン状態に維持され、他方が定常的にオフ状態に維持されてもよい。以上のように、照明制御部２０によって各スイッチング素子の時比率を制御することにより、各スイッチング素子に直列に接続された光源に流れる電流の平均値（時間平均値）を調整できる。
【００２１】
各スイッチング素子におけるオンオフの切り換えは、これに伴う各光源の点灯及び消灯に起因するちらつきを、人が目視によって感知できない程度に高い周波数で行われる。オンオフの切り換え周波数、つまり、ＰＷＭ制御の動作周波数は、例えば、３００Ｈｚ以上である。
【００２２】
第１のスイッチング素子Ｑ１及び第２のスイッチング素子Ｑ２は、所定の時比率で周期的にオンオフを切り換えるように制御できるスイッチング素子であれば特に限定されない。第１のスイッチング素子Ｑ１及び第２のスイッチング素子Ｑ２として、例えば、ＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）などを用いることができる。
【００２３】
第１のコンデンサ４１及び第２のコンデンサ４２は、それぞれ、第１の光源３１及び第２の光源３２に並列に接続される素子である。各光源に並列にコンデンサが接続されることにより、光源に流れる電流を平滑化することができる。各コンデンサの容量などの特性は、各光源に印加される電圧及び電流などに応じて適宜定められればよい。
【００２４】
照明部３０において、第１の光源３１及び第１のスイッチング素子Ｑ１からなる直列回路と、第１の光源３１及び第１のスイッチング素子Ｑ１からなる直列回路とが並列に接続される。このような構成を有する照明部３０と、定電流制御部５０とが直列に接続された回路に、直流電源２によって直流電圧が印加される。これにより、照明制御部２０からの信号に応じた電流が照明部３０に供給され、各光源が光を出射する。
【００２５】
［１−１−２．照明制御部］
照明制御部２０は、照明部３０を制御する処理部である。照明制御部２０は、第１のスイッチング素子Ｑ１及び第２のスイッチング素子Ｑ２の少なくとも一方がオフ状態となるように照明部３０を制御する。照明制御部２０は、第１のスイッチング素子Ｑ１及び第２のスイッチング素子Ｑ２にそれぞれ第１の駆動信号ＤＲＶ１及び第２の駆動信号ＤＲＶ２を出力することにより、所定の時比率（デューティ）で周期的にオンオフを切り換えるように各スイッチング素子を制御する。つまり、照明制御部２０は、第１のスイッチング素子Ｑ１及び第２のスイッチング素子Ｑ２に対してＰＷＭ制御を行う。このように照明制御部２０が照明部３０を制御することにより、第１の光源３１及び第２の光源３２の各々に供給される平均電流値（時間平均電流値）を所望の値に調整できる。したがって、照明制御部２０は、第１の光源３１及び第２の光源３２を調光することができる。ここで、第１の光源３１及び第２の光源３２は、互いに色温度が異なる。また、上述のとおり、各スイッチング素子におけるオンオフの切り換えは、人が目視によってちらつきを感知できない程度に高い周波数で行われる。このため、点灯装置１０からの照明光は、第１の光源３１からの照明光と第２の光源３２からの照明光との混合光のように人には感じられる。したがって、上述のように、第１の光源３１及び第２の光源３２を個別に調光することによって、点灯装置１０からの照明光の色温度を調整することができる。つまり、点灯装置１０からの照明光の調色を行うことができる。
【００２６】
また、照明制御部２０は、一方のスイッチング素子を定常的にオン状態に維持し、他方のスイッチング素子を定常的にオフ状態に維持してもよい。
【００２７】
照明制御部２０は、例えば、マイコン（ＭＣＵ；Ｍｉｃｒｏ−Ｃｏｎｔｒｏｌｌｅｒ  Ｕｎｉｔ）で実現される。マイコンは、プログラムが格納されたＲＯＭ、ＲＡＭ、プログラムを実行するプロセッサ（ＣＰＵ；Ｃｅｎｔｒａｌ  Ｐｒｏｃｅｓｓｉｎｇ  Ｕｎｉｔ）、タイマ、Ａ／Ｄ変換器やＤ／Ａ変換器を含む入出力回路などを有する１チップの半導体集積回路である。なお、照明制御部２０は、マイコン以外の電気回路などを用いて実現されてもよい。
【００２８】
［１−１−３．定電流制御部］
定電流制御部５０は、第１の光源３１及び第２の光源３２の点灯時に流れる電流を一定に制御する回路である。定電流制御部５０は、第１の光源３１及び第２の光源３２に流れる電流の総和を検出し、当該総和に基づいて第１のスイッチング素子Ｑ１及び第２のスイッチング素子Ｑ２を制御することにより第１の光源３１及び第２の光源３２の点灯時に流れる電流値を一定とする。定電流制御部５０は、照明部３０に直列に接続されているため、照明部３０の第１の光源３１及び第２の光源３２に流れる電流が定電流制御部５０に流れる。定電流制御部５０は、第１の光源３１及び第２の光源３２に流れる電流値の総和を検出し、各光源に流れる平均電流値を一定に制御する。
【００２９】
ここで、点灯装置１０の点灯時には、第１の光源３１及び第２の光源３２の一方だけが点灯されるため、検出された電流値の総和が、第１の光源３１及び第２の光源３２の一方に流れる電流値に相当する。したがって、第１の光源３１及び第２の光源３２に流れる各電流値を、一つの電流検出部７０を用いて検出することができる。このため、点灯装置１０の回路を簡素化することができる。さらに、一つの電流検出部７０を用いて各光源に流れる電流値を検出するため、二つの光源に流れる電流の値をそれぞれ別々の電流検出部を用いて検出する場合より、各光源に流れる電流の値の相対的な大小関係を正確に検出できる。つまり、各光源に所望の電流を供給できる。これにより、各光源からの照明光の強度比を正確に検出できるため、点灯装置１０から出射される照明光の色温度を正確に制御できる。また、各光源に並列にコンデンサが接続されることにより、各光源に流れる電流を平滑化できる。これに伴い、電流検出部７０における電流の検出精度を向上させることができるため、点灯装置１０からの照明光の強度のリップルを低減できる。つまり、点灯装置１０におけるフリッカを低減できる。
【００３０】
定電流制御部５０は、例えば、電流検出用のセンス抵抗と、トランジスタとを用いて実現される。
【００３１】
［１−１−４．直流電源］
直流電源２は、点灯装置１０に直流電力を供給する電源である。直流電源２は、例えば、整流回路とＤＣ／ＤＣコンバータとを備える電源回路を用いて実現される。当該電源回路には、例えば、商用電源などの系統電源から交流電力が供給される。電源回路の整流回路は、供給された交流電力を整流することで直流電力に変換する。電源回路のＤＣ／ＤＣコンバータは、整流回路から供給された直流電力を点灯装置１０に適した電圧及び電流を有する直流電力に変換する。なお、直流電源２は、上記の電源回路に限定されない。直流電源２は、例えば、乾電池、二次電池などであってもよい。
【００３２】
［１−２．構成例］
続いて、本実施の形態に係る点灯装置１０の具体的な構成の一例について図面を用いて説明する。
【００３３】
図２は、本実施の形態に係る点灯装置１０の具体的な構成の一例を示す回路図である。図２には、点灯装置１０の照明部３０、照明制御部２０及び定電流制御部５０の具体的な回路構成が示されている。
【００３４】
図２に示されるように、照明部３０の第１の光源３１及び第２の光源３２は、それぞれ直列に接続された三個のＬＥＤを有する。なお、各光源が備えるＬＥＤの個数及び接続態様は、特に限定されない。例えば、各光源は、直列及び並列に接続された多数のＬＥＤを備えてもよい。なお、各光源の色温度は、例えば、ＬＥＤが有するＬＥＤチップからの出射光の光色、及び、当該出射光を波長変換する蛍光体の組成などを適宜選択することより調整可能である。
【００３５】
照明部３０の第１のスイッチング素子Ｑ１及び第２のスイッチング素子Ｑ２として、例えば、Ｎチャンネル型のＭＯＳＦＥＴが用いられる。第１のスイッチング素子Ｑ１及び第２のスイッチング素子Ｑ２の各ソース端子は、図２に示されるノードＮ１に接続される。第１のスイッチング素子Ｑ１及び第２のスイッチング素子Ｑ２のドレイン端子は、それぞれ第１の光源３１及び第２の光源３２に接続される。各スイッチング素子のゲート端子にＨｉｇｈレベルの駆動信号が入力された場合に、各スイッチング素子がオン状態となる。つまり、各スイッチング素子のドレイン端子とソース端子との間が導通状態となる。一方、各スイッチング素子のゲート端子にＬｏｗレベルの駆動信号が入力された場合に、各スイッチング素子がオフ状態となる。つまり、各スイッチング素子のドレイン端子とソース端子との間が非導通状態となる。
【００３６】
照明制御部２０は、マイコン２１を有する。マイコン２１は、第１の駆動信号ＤＲＶ１及び第２の駆動信号ＤＲＶ２をそれぞれ第１のスイッチング素子Ｑ１及び第２のスイッチング素子Ｑ２に出力する。マイコン２１は、内部に記憶されるプログラムなどに基づいて第１の駆動信号ＤＲＶ１及び第２の駆動信号ＤＲＶ２を決定してもよいし、外部からの入力信号に基づいて第１の駆動信号ＤＲＶ１及び第２の駆動信号ＤＲＶ２を決定してもよい。
【００３７】
定電流制御部５０は、電流検出部７０と、抵抗素子５１及び５２と、第１のトランジスタＴ１及び第２のトランジスタＴ２とを有する。
【００３８】
電流検出部７０は、照明部３０に直列に接続され、第１の光源３１及び第２の光源３２に流れる電流値の総和を検出する。電流検出部７０は、抵抗素子７２を有する。抵抗素子７２は、照明部３０に直列に接続される。より具体的には、抵抗素子７２の一端は、照明部３０とノードＮ１において接続され、抵抗素子７２の他端は、直流電源２の低電位側の出力端子に接続される。これにより、第１の光源３１及び第２の光源３２に流れる電流が、抵抗素子７２に流れる。したがって、抵抗素子７２に印加される電圧を検出することで、第１の光源３１及び第２の光源３２に流れる電流値の総和を検出できる。
【００３９】
抵抗素子５１及び抵抗素子５２は、それぞれ、第１のトランジスタＴ１及び第２のトランジスタＴ２に流れる電流を低減するための素子である。抵抗素子５１の一端はノードＮ１に接続され、他端は第１のトランジスタＴ１のベース端子に接続される。抵抗素子５２の一端はノードＮ１に接続され、抵抗素子５２の他端は第２のトランジスタＴ２のベース端子に接続される。また、抵抗素子５１及び抵抗素子５２は、抵抗素子７２より十分大きい抵抗値を有する。これにより、第１のトランジスタＴ１及び第２のトランジスタＴ２に過大な電流が流れることを抑制できる。
【００４０】
第１のトランジスタＴ１及び第２のトランジスタＴ２は、それぞれ、電流検出部７０において検出される電流が一定となるように第１のスイッチング素子Ｑ１及び第２のスイッチング素子Ｑ２を制御する素子である。第１のトランジスタＴ１及び第２のトランジスタＴ２として、例えば、図２に示されるようにＮＰＮ型のバイポーラトランジスタを用いることができる。第１のトランジスタＴ１及び第２のトランジスタＴ２の各ベース端子は、それぞれ抵抗素子５１及び５２を介してノードＮ１に接続される。第１のトランジスタＴ１及び第２のトランジスタＴ２の各エミッタ端子は、直流電源２の低電位側の出力端子に接続される。第１のトランジスタＴ１のコレクタ端子は、第１のスイッチング素子Ｑ１のゲート端子に接続され、第２のトランジスタＴ２のコレクタ端子は、第２のスイッチング素子Ｑ２のゲート端子に接続される。
【００４１】
［１−３．動作］
次に、本実施の形態に係る点灯装置１０の動作について図面を用いて説明する。
【００４２】
図３Ａ〜図３Ｆは、それぞれ、本実施の形態に係る照明制御部２０から出力される第１の駆動信号ＤＲＶ１及び第２の駆動信号ＤＲＶ２の第１〜第６の波形例を示すグラフである。図３Ａ〜図３Ｆにおいては、横軸が時間を表し、縦軸が電圧値を表す。
【００４３】
図３Ａ〜図３Ｆに示されるように、照明制御部２０は、第１の駆動信号ＤＲＶ１及び第２の駆動信号ＤＲＶ２の少なくとも一方がＬｏｗレベルとなるように、各駆動信号を出力する。これにより、第１のスイッチング素子Ｑ１及び第２のスイッチング素子Ｑ２の少なくとも一方がオフ状態となる。したがって、第１の光源３１及び第２の光源３２に実質的に同時に電流が流れることがないため、一つの電流検出部７０によって、第１の光源３１に流れる電流値、及び、第２の光源３２に流れる電流値をそれぞれ検出することができる。
【００４４】
図３Ａに示される第１の波形例においては、第１の駆動信号ＤＲＶ１が定常的にＨｉｇｈレベルであり、第２の駆動信号ＤＲＶ２が定常的にＬｏｗレベルである。この場合、第２の光源３２より低色温度の第１の光源３１が点灯状態に維持され、第２の光源３２が消灯状態に維持される（各駆動信号と各光源の動作との関係については後述する）。したがって、点灯装置１０からは、低色温度の照明光が出射される。
【００４５】
図３Ｂに示される第２の波形例においては、第１の駆動信号ＤＲＶ１が間欠的にＨｉｇｈレベルとなり、第２の駆動信号ＤＲＶ２が定常的にＬｏｗレベルである。この場合、第２の光源３２より低色温度の第１の光源３１に所定の時比率で間欠的に電流が流れ、第１の光源３１の点灯及び消灯が周期的に繰り返される。この点灯及び消灯の繰り返し周波数は、人が目視によってちらつき感知できない程度に高いため、点灯時と消灯時の平均の強度の照明光が点灯装置１０から出射されていると人は感じる。つまり、この場合、第１の波形例の場合より弱い強度（平均強度）の低色温度の照明光が点灯装置１０から出射されていると人は感じる。ここで、第２の波形例における照明光の強度は、第１の駆動信号ＤＲＶ１の時比率に応じて変化する。
【００４６】
図３Ｃに示される第３の波形例においては、第１の駆動信号ＤＲＶ１及び第２の駆動信号ＤＲＶ２が交互にＨｉｇｈレベルとなる。この場合、第１の光源３１及び第２の光源３２に交互に電流が流れ、第１の光源３１及び第２の光源３２の点灯及び消灯が周期的に繰り返される。この場合においても第２の波形例の場合と同様に、点灯及び消灯の繰り返し周波数は、人が目視によってちらつき感知できない程度に高いため、第１の光源３１からの照明光と第２の光源３２からの照明光との混合光が点灯装置１０から出射されているように人は感じる。つまり、この場合、第１の光源３１からの照明光の色温度と第２の光源３２からの照明光の色温度との間の色温度の照明光が点灯装置１０から出射されているように人は感じる。
【００４７】
図３Ｄに示される第４の波形例においては、第３の波形例と同様に第１の駆動信号ＤＲＶ１及び第２の駆動信号ＤＲＶ２が交互にＨｉｇｈレベルとなる。ただし、第４の波形例では、第１の駆動信号ＤＲＶ１の時比率が第３の波形例における時比率より大きく、第２の駆動信号ＤＲＶ２の時比率が第３の波形例における時比率より小さい。このため、この場合、第３の波形例の場合よりも、点灯装置１０からの照明光における第１の光源３１からの照明光の割合が大きく、第２の光源３２からの照明光の割合が小さい。したがって、この場合、第３の波形例の場合よりも、色温度が低い照明光が点灯装置１０から出射される。
【００４８】
図３Ｅに示される第５の波形例においては、第１の駆動信号ＤＲＶ１が定常的にＬｏｗレベルであり、第２の駆動信号ＤＲＶ２が定常的にＨｉｇｈレベルである。この場合、第１の光源３１より高色温度の第２の光源３２が点灯状態に維持され、第１の光源３１が消灯状態に維持される。したがって、点灯装置１０からは、高色温度の照明光が出射される。
【００４９】
図３Ｆに示される第６の波形例においては、第２の駆動信号ＤＲＶ２が間欠的にＨｉｇｈレベルとなり、第１の駆動信号ＤＲＶ１が定常的にＬｏｗレベルである。この場合、第１の光源３１より高色温度の第２の光源３２に所定の時比率で間欠的に電流が流れ、第２の光源３２の点灯及び消灯が周期的に繰り返される。この場合、第５の波形例の場合より弱い強度（平均強度）の高色温度の照明光が点灯装置１０から出射されていると人は感じる。ここで、第６の波形例における照明光の強度は、第２の駆動信号ＤＲＶ２の時比率に応じて変化する。
【００５０】
続いて、本実施の形態に係る点灯装置１０の動作について図面を用いてより詳細に説明する。
【００５１】
図４は、本実施の形態に係る第１の駆動信号ＤＲＶ１及び第２の駆動信号ＤＲＶ２、第１のスイッチング素子Ｑ１及び第２のスイッチング素子Ｑ２に流れる電流、並びに、電流検出部７０に流れる電流の各波形の一例を示すグラフである。図４においては、横軸が時間を表し、縦軸が電圧値又は電流値を表す。
【００５２】
図４に示される波形例では、図３Ｃに示される第３の波形例と同様に、第１の駆動信号ＤＲＶ１及び第２の駆動信号ＤＲＶ２が交互にＨｉｇｈレベルとなる。例えば、第１の駆動信号ＤＲＶ１がＨｉｇｈレベルである場合、直流電源２から第１のスイッチング素子Ｑ１に電流が流れる。このとき、電流検出部７０にも第１のスイッチング素子Ｑ１に流れる電流値と同じ大きさの電流値が流れる。ここで、第１のトランジスタＴ１のベース端子とエミッタ端子との間には、電流検出部７０に印加される電圧、つまり、第１のスイッチング素子Ｑ１に流れる電流に対応する電圧が印加される。これにより、第１のトランジスタＴ１のベース端子とエミッタ端子との間に印加される電圧が、第１のトランジスタＴ１のベース・エミッタ電圧ＶＢＥとなるように、第１のスイッチング素子Ｑ１のゲート電圧は制御される。つまり、電流検出部７０に印加される電圧が一定となるように制御される。したがって、図４に示されるように、第１のスイッチング素子Ｑ１及び電流検出部７０に流れる電流値が一定となるように制御される。
【００５３】
第２の駆動信号ＤＲＶ２がＨｉｇｈレベルである場合についても、第１の駆動信号ＤＲＶ１がＨｉｇｈレベルである場合と同様に、第２のスイッチング素子Ｑ２に流れる電流値が一定となるように制御される。
【００５４】
このように、本実施の形態では、定電流制御部５０によって、第１のスイッチング素子Ｑ１及び第２のスイッチング素子Ｑ２に流れる電流、つまり、第１の光源３１及び第２の光源３２に流れる電流が一定となるように制御される。さらに、本実施の形態では、第１の光源３１及び第２の光源３２に、それぞれ、第１のコンデンサ４１及び第２のコンデンサ４２が並列に接続されている。これにより、各光源には、各コンデンサによって平滑化された電流を流すことができる。
【００５５】
また、上述のとおり、各光源に流れる電流は、第１のトランジスタＴ１及び第２のトランジスタＴ２によって制御される。したがって、各光源に流れる電流値は、これらのトランジスタの特性に依存するため、これらのトランジスタの特性の差が大きい場合には、各光源に流れる電流値の比を、所望の値に制御することができない。そこで、これらのトランジスタの特性を揃えてもよい。例えば、これらのトランジスタとして、ワンチップに形成された二つのトランジスタを用いてもよい。このように形成された二つのトランジスタは、同一の工程で製造されるため、同等の特性を有する。これにより、各光源に流れる電流値の比を所望の値に制御することができる。
【００５６】
また、本波形例では、一方の駆動信号がＨｉｇｈレベルとなる直前に、両方の駆動信号がＬｏｗレベルとなる期間、つまり、第１のスイッチング素子Ｑ１及び第２のスイッチング素子Ｑ２がともにオフ状態となる期間が存在する。つまり、照明制御部２０は、第１のスイッチング素子Ｑ１及び第２のスイッチング素子Ｑ２の一方をオン状態に切り換える直前に、第１のスイッチング素子Ｑ１及び第２のスイッチング素子Ｑ２をオフ状態とする。これにより、第１のスイッチング素子Ｑ１及び第２のスイッチング素子Ｑ２に同時に電流が流れることを、より確実に回避できる。
【００５７】
また、本実施の形態に係る点灯装置１０では、上述のとおり、調色可能であるが、色温度を変化させずに、照明光の強度（又は照度）を変化させることも可能である。以下、このような制御態様について図面を用いて説明する。
【００５８】
図５は、本実施の形態に係る点灯装置１０において、照明光の色温度を変化させずに照明光の強度を変化させる場合の各駆動信号の波形例を示すグラフである。
【００５９】
図５に示されるように、第１の駆動信号ＤＲＶ１の時比率をｔａ／ｔ０（＝Ａ）とし、第２の駆動信号ＤＲＶ２の時比率をｔｂ／ｔ０（＝Ｂ）とする。ここで、ｔ０は、ＰＷＭ制御の動作周期を表し、ｔａ及びｔｂは、それぞれ第１の駆動信号ＤＲＶ１及び第２の駆動信号ＤＲＶ２のオン期間の長さを表す。
【００６０】
点灯装置１０において、照明光の色温度を変化させずに照明光の強度を変化させる場合には、第１の駆動信号ＤＲＶ１の時比率Ａと第２の駆動信号ＤＲＶ２の時比率Ｂとの比（Ａ／Ｂ＝ｔａ／ｔｂ）が一定となるように各時比率を変化させる。例えば、図５の破線の波形で示されるように各時比率を低減する。これにより、照明光の色温度を変化させずに照明光の強度を低下させることができる。
【００６１】
［１−４．まとめ］
以上のように、本実施の形態に係る点灯装置１０は、第１の光源３１と、第１の光源３１に直列に接続される第１のスイッチング素子Ｑ１と、第１の光源３１より高色温度の照明光を出射する第２の光源３２と、第２の光源３２に直列に接続される第２のスイッチング素子Ｑ２とを有する照明部３０を備える。点灯装置１０は、さらに、第１のスイッチング素子Ｑ１及び第２のスイッチング素子Ｑ２にそれぞれ第１の駆動信号ＤＲＶ１及び第２の駆動信号ＤＲＶ２を出力することで、第１のスイッチング素子Ｑ１及び第２のスイッチング素子Ｑ２の少なくとも一方がオフ状態となるように照明部３０を制御する照明制御部２０を備える。点灯装置１０は、さらに、第１の光源３１及び第２の光源３２に流れる電流値の総和を検出し、当該総和に基づいて第１のスイッチング素子Ｑ１及び第２のスイッチング素子Ｑ２を制御することにより第１の光源３１及び第２の光源３２の点灯時に流れる電流値を一定とする定電流制御部５０を備える。
【００６２】
これにより、点灯装置１０の点灯時には、第１の光源３１及び第２の光源３２の一方だけが点灯されるため、検出された電流値の総和が、第１の光源３１及び第２の光源３２の一方に流れる電流値に相当する。したがって、第１の光源３１及び第２の光源３２に流れる各電流値を、一つの電流検出部７０を用いて検出することができる。このため、点灯装置１０の回路を簡素化することができる。さらに、一つの電流検出部７０を用いて各光源に流れる電流値を検出するため、二つの光源に流れる電流の値をそれぞれ別々の電流検出部を用いて検出する場合より、各光源に流れる電流の値の相対的な大小関係を正確に検出できる。つまり、各光源に所望の電流を供給できる。これにより、各光源からの照明光の強度比を正確に検出できるため、点灯装置１０から出射される照明光の色温度を正確に制御できる。
【００６３】
また、本実施の形態に係る点灯装置１０において、照明制御部２０は、第１のスイッチング素子Ｑ１及び第２のスイッチング素子Ｑ２に対してＰＷＭ制御を行ってもよい。
【００６４】
これにより、第１の光源３１及び第２の光源３２の各々に流れる電流値を所望の値に調整できる。したがって、照明制御部２０は、第１の光源３１及び第２の光源３２を調光することができる。また、第１の光源３１及び第２の光源３２は、互いに色温度が異なるため、第１の光源３１及び第２の光源３２をそれぞれ個別に調光することによって、点灯装置１０からの照明光の色温度を調整することができる。
【００６５】
また、本実施の形態に係る点灯装置１０において、ＰＷＭ制御の動作周波数が３００Ｈｚ以上でもよい。
【００６６】
これにより、各スイッチング素子におけるオンオフの切り換えに伴う各光源の点灯及び消灯に起因するちらつきを、人が目視によって感知することを抑制できる。
【００６７】
また、本実施の形態に係る点灯装置１０において、照明部３０は、さらに、第１の光源３１に並列に接続される第１のコンデンサ４１と、第２の光源３２に並列に接続される第２のコンデンサ４２とを有してもよい。
【００６８】
これにより、各光源に流れる電流を平滑化できる。これに伴い、電流検出部７０における電流の検出精度を向上させることができるため、点灯装置１０からの照明光の強度のリップルを低減できる。つまり、点灯装置１０におけるフリッカを低減できる。
【００６９】
また、本実施の形態に係る点灯装置１０において、照明制御部２０は、第１のスイッチング素子Ｑ１及び第２のスイッチング素子Ｑ２の一方をオン状態に切り換える直前に、第１のスイッチング素子Ｑ１及び第２のスイッチング素子Ｑ２をオフ状態としてもよい。
【００７０】
これにより、第１のスイッチング素子Ｑ１及び第２のスイッチング素子Ｑ２に同時に電流が流れることを、より確実に回避できる。
【００７１】
また、本実施の形態に係る点灯装置１０において、照明制御部２０は、第１のスイッチング素子Ｑ１へのＰＷＭ信号の時比率と、第２のスイッチング素子Ｑ２へのＰＷＭ信号の時比率との比を一定に維持する。
【００７２】
これにより、点灯装置１０において、照明光の色温度を変化させずに照明光の強度を変化させることができる。
【００７３】
（実施の形態２）
次に、実施の形態２に係る点灯装置について説明する。本実施の形態に係る点灯装置は、第１の光源及び第２の光源に流れる電流値の総和の検出値に基づいて、照明制御部から各スイッチング素子に出力される駆動信号を補正制御する点において実施の形態１に係る点灯装置１０と相違する。以下、本実施の形態に係る点灯装置について、実施の形態１に係る点灯装置１０との相違点を中心に図面を用いて説明する。
【００７４】
図６は、本実施の形態に係る点灯装置１１０の具体的な構成の一例を示す回路図である。
【００７５】
図６に示されるように、本実施の形態に係る点灯装置１１０は、実施の形態１に係る点灯装置１０と同様に、照明部３０と、照明制御部１２０と、定電流制御部５０とを備える。
【００７６】
本実施の形態に係る照明制御部１２０は、抵抗素子１２２と、第３のコンデンサ１２３と、マイコン１２１とを有する。
【００７７】
抵抗素子１２２は、ノードＮ１とマイコン１２１とを接続する回路に挿入され、ノードＮ１からマイコン１２１へと流れる電流を低減する。抵抗素子１２２の抵抗値は、定電流制御部５０の抵抗素子７２の抵抗値より十分大きい。上述のとおり、抵抗素子１２２の一端は、ノードＮ１に接続され、抵抗素子１２２の他端はマイコン１２１の入力端子に接続される。これにより、マイコン１２１に、電流検出部７０において検出された第１の光源３１及び第２の光源３２に流れる電流値の総和に対応する電圧値を入力することができる。また、抵抗素子１２２の他端は、第３のコンデンサ１２３の一方の電極にも接続される。これにより、マイコン１２１に入力される電圧を平滑化することができる。
【００７８】
第３のコンデンサ１２３は、マイコン１２１に入力される電圧を平滑化するための素子である。第３のコンデンサ１２３の一方の電極は、マイコン１２１の入力端子及び抵抗素子１２２の上記他端に接続され、第３のコンデンサ１２３の他方の電極は、直流電源２の低電位側出力端子に接続される。
【００７９】
マイコン１２１は、実施の形態１に係るマイコン２１と同様に、第１の駆動信号ＤＲＶ１及び第２の駆動信号ＤＲＶ２をそれぞれ第１のスイッチング素子Ｑ１及び第２のスイッチング素子Ｑ２に出力する。本実施の形態では、マイコン１２１は、さらに、第１の光源３１及び第２の光源３２に流れる電流値の総和に基づいて、第１のスイッチング素子Ｑ１及び第２のスイッチング素子Ｑ２へそれぞれ出力する第１の駆動信号及び第２の駆動信号を補正制御する。これにより、例えば、直流電源２の出力が変動した場合においても、各光源からの照明光の強度を補正することができる。また、本実施の形態では、当該総和の検出を、定電流制御部５０における電流検出部７０を用いて行うことができ、別途電流検出部を設ける必要がない。このため、点灯装置１１０の構成を簡素化することができる。
【００８０】
また、本実施の形態では、当該総和に対応する電圧値は、第３のコンデンサ１２３によって平滑化された平均電圧値としてマイコン１２１に入力される。つまり、マイコン１２１に入力される信号は安定化されている。したがって、マイコン１２１では、当該総和の平均値に基づいて各駆動信号を安定的に補正制御できる。
【００８１】
また、第１の駆動信号ＤＲＶ１及び第２の駆動信号ＤＲＶ２は、実施の形態１に係る各駆動信号と同様にＰＷＭ信号であり、マイコン１２１は、当該総和に基づいて第１の駆動信号ＤＲＶ１及び第２の駆動信号ＤＲＶ２の少なくとも一方の時比率を変更してもよい。これにより、点灯装置１１０において、所望の強度及び色温度の照明光をより確実に出射させることができる。
【００８２】
また、本実施の形態において、照明制御部１２０は、当該総和が閾値を超えた場合に、第１の光源３１及び第２の光源３２に流れる電流を制限してもよい。ここで、閾値とは、例えば、点灯装置１１０において正常点灯可能な電流値の上限値である。これにより、定電流制御部５０の電流検出部７０を過電流検出のために利用でき、点灯装置１１０又は直流電源２において異常が発生した場合に、点灯装置１１０を保護することができる。また、過電流検出のために別途電流検出部を設ける必要がないため、点灯装置１１０の構成を簡素化することができる。
【００８３】
（実施の形態３）
次に、実施の形態３に係る点灯装置について説明する。本実施の形態に係る点灯装置は、照明制御部において使用される電力損失を低減できる点において、実施の形態２に係る点灯装置１１０と相違する。以下、本実施の形態に係る点灯装置について、実施の形態２に係る点灯装置１１０との相違点を中心に図面を用いて説明する。
【００８４】
図７は、本実施の形態に係る点灯装置２１０の具体的な構成の一例を示す回路図である。図８は、本実施の形態に係る第１の駆動信号ＤＲＶ１及び第２の駆動信号ＤＲＶ２、第１のスイッチング素子Ｑ１及び第２のスイッチング素子Ｑ２に流れる電流、並びに、電流検出部７０に流れる電流の各波形の一例を示すグラフである。図８においては、横軸が時間を表し、縦軸が電圧値又は電流値を表す。
【００８５】
図７に示されるように、本実施の形態に係る点灯装置２１０は、実施の形態２に係る点灯装置１１０と同様に、照明部３０と、照明制御部２２０と、定電流制御部２５０とを有する。
【００８６】
本実施の形態に係る定電流制御部２５０は、実施の形態２に係る定電流制御部５０に加えて、さらに、第３のトランジスタＴ３と、第４のトランジスタＴ４と、抵抗素子２５１〜２５６とを有する。
【００８７】
第３のトランジスタＴ３及び第４のトランジスタＴ４は、それぞれ第１の駆動信号ＤＲＶ１及び第２の駆動信号ＤＲＶ２の各レベルを反転させるための素子である。第３のトランジスタＴ３及び第４のトランジスタＴ４として、例えば、図７に示されるように、ＮＰＮ型のバイポーラトランジスタを用いることができる。
【００８８】
第３のトランジスタＴ３のベース端子は、マイコン２２１の第１の駆動信号ＤＲＶ１を出力する端子に抵抗素子２５１を介して接続され、かつ、抵抗素子２５３を介して直流電源２の高電位側出力端子に接続される。第３のトランジスタＴ３のコレクタ端子は、抵抗素子２５５を介して直流電源２の高電位側出力端子に接続され、かつ、第１のスイッチング素子Ｑ１のゲート端子に接続される。第３のトランジスタＴ３のエミッタ端子は、直流電源２の低電位側出力端子に接続される。
【００８９】
第４のトランジスタＴ４のベース端子は、マイコン２２１の第２の駆動信号ＤＲＶ２を出力する端子に抵抗素子２５２を介して接続され、かつ、抵抗素子２５４を介して直流電源２の高電位側出力端子に接続される。第４のトランジスタＴ４のコレクタ端子は、抵抗素子２５６を介して直流電源２の高電位側出力端子に接続され、かつ、第２のスイッチング素子Ｑ２のゲート端子に接続される。第４のトランジスタＴ４のエミッタ端子は、直流電源２の低電位側出力端子に接続される。
【００９０】
定電流制御部２５０がこのような回路構成を有することにより、第３のトランジスタＴ３は、例えば、第１の駆動信号ＤＲＶ１がＨｉｇｈレベルである場合に、第１のスイッチング素子Ｑ１のゲート端子にＬｏｗレベルの信号を出力する。一方、第３のトランジスタＴ３は、第１の駆動信号ＤＲＶ１がＬｏｗレベルである場合に、第１のスイッチング素子Ｑ１のゲート端子にＨｉｇｈレベルの信号を出力する。第４のトランジスタＴ４も第３のトランジスタＴ３と同様に第２の駆動信号ＤＲＶ２のレベルを反転させる。
【００９１】
照明制御部２２０は、実施の形態２に係る照明制御部１２０と同様に、マイコン２２１と、抵抗素子１２２と、第３のコンデンサ１２３とを有する。照明制御部２２０は、マイコン２２１から出力される各駆動信号のレベルが反転している点において照明制御部１２０と相違する。つまり、マイコン２２１は、第１のスイッチング素子Ｑ１をオン状態とする場合に、Ｌｏｗレベルの第１の駆動信号ＤＲＶ１を出力し、第１のスイッチング素子Ｑ１をオフ状態とする場合に、Ｈｉｇｈレベルの第１の駆動信号ＤＲＶ１を出力する。第２の駆動信号ＤＲＶ２についても同様である。
【００９２】
以上のように点灯装置２１０が構成されることにより、マイコン２２１から出力される第１の駆動信号ＤＲＶ１がＬｏｗレベルである場合には、第３のトランジスタＴ３によって当該駆動信号のレベルが反転されるため、第１のスイッチング素子Ｑ１のゲート端子には、Ｈｉｇｈレベルの信号が入力される。これに伴い、第１のスイッチング素子Ｑ１は、オン状態となるため、図８に示されるように第１のスイッチング素子Ｑ１（及び第１の光源３１）に定電流が流れる。一方、マイコン２２１から出力される第１の駆動信号ＤＲＶ１がＨｉｇｈレベルである場合には、第１のスイッチング素子Ｑ１のゲート端子には、Ｌｏｗレベルの信号が入力される。これに伴い、第１のスイッチング素子Ｑ１は、オフ状態となるため、図８に示されるように第１のスイッチング素子Ｑ１（及び第１の光源３１）には電流が流れない。第２の駆動信号ＤＲＶ２についても同様である。
【００９３】
なお、本実施の形態に係る点灯装置２１０においても、実施の形態１に係る点灯装置１０と同様に、照明制御部２２０は、第１のスイッチング素子Ｑ１及び第２のスイッチング素子Ｑ２の一方をオン状態に切り換える直前に、第１のスイッチング素子Ｑ１及び第２のスイッチング素子Ｑ２をオフ状態としてもよい（図８参照）。
【００９４】
以上のように、点灯装置２１０においては、マイコン２２１から出力される第１の駆動信号ＤＲＶ１がＬｏｗレベルである場合に、第１のスイッチング素子Ｑ１がオン状態となる。また、マイコン２２１から出力される第２の駆動信号ＤＲＶ２がＬｏｗレベルである場合に、第２のスイッチング素子Ｑ２がオン状態となる。
【００９５】
このように、点灯装置２１０では、点灯時に、マイコン２２１からの各駆動信号をＬｏｗレベルとするため、点灯時におけるマイコン２２１の電力損失を低減できる。例えば、実施の形態１に係る点灯装置１０では、点灯時に、マイコン２１からＨｉｇｈレベルの駆動信号を出力することで、マイコン２１の駆動信号を出力する端子は、バイポーラトランジスタを介して直流電源２の低電位側出力端子に実質的に短絡される。このように、点灯装置１０では、マイコン２１の駆動信号を出力する端子と直流電源２の低電位側出力端子との間にＨｉｇｈレベルの電圧が印加された状態で、これらの端子間が実質的に短絡されるため、点灯時におけるマイコン２１の電力損失が比較的大きい。一方、本実施の形態に係る点灯装置２１０では、点灯時に、マイコン２２１からＬｏｗレベルの信号を出力するため、マイコン２１の駆動信号を出力する端子と直流電源２の低電位側出力端子との間が短絡されない。したがって、点灯装置２１０では、点灯時におけるマイコン２２１の電力損失を、点灯装置１０より低減できる。
【００９６】
また、点灯装置１０では、マイコン２１からの各駆動信号によって、各スイッチング素子を直接駆動するため、マイコン２１の駆動信号を出力するために要する電力が比較的大きい。一方、本実施の形態に係る点灯装置２１０では、マイコン２２１からの各駆動信号によって直接各スイッチング素子を駆動しないため、各駆動信号を出力するために要する電力を、点灯装置１０より低減できる。
【００９７】
（実施の形態４）
次に、実施の形態４に係る照明器具について説明する。
【００９８】
図９は、本実施の形態に係る照明器具３０１の外観図である。この照明器具３０１は、上記実施の形態１〜３に係る点灯装置のいずれかと、その点灯装置を収納する筐体などを備える。本実施の形態では、照明器具３０１は、ダウンライトである。
【００９９】
このような照明器具３０１は、上記実施の形態１〜３に係る点灯装置のいずれかを備えるので、上記各実施の形態に係る点灯装置と同様の効果を得ることができる。
【０１００】
（実施の形態５）
次に、実施の形態５に係る電子機器について説明する。
【０１０１】
図１０は、本実施の形態に係る電子機器４０１の外観図である。この電子機器４０１は、上記実施の形態１〜３に係る点灯装置のいずれかと、その点灯装置を収納する筐体などを備える。本実施の形態では、電子機器４０１は、スマートフォンである。電子機器４０１において、点灯装置は、例えば、電子機器４０１に内蔵される照明用光源として利用される。
【０１０２】
このような電子機器４０１は、上記実施の形態１〜３に係る点灯装置のいずれかを備えるので、上記各実施の形態に係る点灯装置と同様の効果を得ることができる。
【０１０３】
（その他）
以上、本発明について、上記各実施の形態に基づいて説明したが、本発明は、上記各実施の形態に限定されるものではない。
【０１０４】
例えば、上記各実施の形態では、第１の光源３１及び第２の光源３２に並列に、それぞれ第１のコンデンサ４１及び第２のコンデンサ４２が接続されたが、これらのコンデンサは、必須の構成要素ではない。例えば、直流電源２の出力電圧が十分に安定化されている場合には、これらのコンデンサを用いなくてもよい。
【０１０５】
また、上記各実施の形態では、第１の光源３１及び第２の光源３２がＬＥＤである例を示したが、各光源の構成はこれに限定されない。各光源は、例えば、有機ＥＬ（Ｅｌｅｃｔｒｏ−Ｌｕｍｉｎｅｓｃｅｎｃｅ）素子等の固体発光素子であってもよい。
【０１０６】
また、上記各実施の形態では、各点灯装置は、第１の光源３１及び第２の光源３２の二つの光源を備えるが、光源の個数は二つに限定されない。例えば、点灯装置は、三つ以上の光源を備えてもよい。また、点灯装置は、光源の個数に合わせて、三つ以上のスイッチング素子を備えてもよい。
【０１０７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０８】
１０、１１０、２１０    点灯装置
２０，１２０、２２０    照明制御部
２１、１２１、２２１    マイコン
３０    照明部
３１    第１の光源
３２    第２の光源
４１    第１のコンデンサ
４２    第２のコンデンサ
５０、２５０    定電流制御部
３０１    照明器具
４０１    電子機器
Ｑ１    第１のスイッチング素子
Ｑ２    第２のスイッチング素子
【図１】
2018147605.tif 000003
【図２】
2018147605.tif 000004
【図３Ａ】
2018147605.tif 000005
【図３Ｂ】
2018147605.tif 000006
【図３Ｃ】
2018147605.tif 000007
【図３Ｄ】
2018147605.tif 000008
【図３Ｅ】
2018147605.tif 000009
【図３Ｆ】
2018147605.tif 000010
【図４】
2018147605.tif 000011
【図５】
2018147605.tif 000012
【図６】
2018147605.tif 000013
【図７】
2018147605.tif 000014
【図８】
2018147605.tif 000015
【図９】
2018147605.tif 000016
【図１０】
2018147605.tif 000017